(57)【要約】      （修正有）【課題】波の影響を抑制して倒壊を防止することができる牡蠣養殖用抑制棚を提供する。【解決手段】牡蠣養殖用抑制棚１００は、縦部材１１を備えて牡蠣の採苗連を架設する梁部と、梁部の長手方向に等間隔で海底２００に立設されると共に、梁部の短手方向に等間隔で海底に立設され、梁部に上部を固定して並設される複数の支柱２０と、隣り合う支柱間に架設される連結部３０ｂ〜３０ｄと、を備え、支柱２０が、格子状に複数の貫通孔２０ａを有するＦＲＰ材である。【選択図】図１
0003202602.tif 000002
【実用新案登録請求の範囲】
【請求項１】
牡蠣の採苗連を架設する梁部と、
前記梁部の長手方向に等間隔で海底に立設されると共に、前記梁部の短手方向に等間隔で海底に立設され、前記梁部に上部を固定して並設される複数の支柱と、
隣り合う前記支柱間に架設される連結部と、
を備え、
前記支柱が、格子状に複数の貫通孔を有するＦＲＰ材であることを特徴とする牡蠣養殖用抑制棚。
【請求項２】
請求項１に記載の牡蠣養殖用抑制棚において、
前記連結部が、格子状に複数の貫通孔を有するＦＲＰ材であることを特徴とする牡蠣養殖用抑制棚。
【請求項３】
請求項２に記載の牡蠣養殖用抑制棚において、
前記連結部が、前記梁部の短手方向で隣り合う前記支柱間に架設され、前記貫通孔に嵌合する取付部材により前記梁部に連結されることを特徴とする牡蠣養殖用抑制棚。
【請求項４】
請求項１乃至３のいずれかに記載の牡蠣養殖用抑制棚において、
前記連結部が、前記支柱の下端を基点として前記支柱が前記海底に埋設される高さに対応して前記海底に当接する位置に架設されることを特徴とする牡蠣養殖用抑制棚。
【考案の詳細な説明】
【技術分野】
【０００１】
本考案は、牡蠣の養殖の抑制過程で使用する牡蠣養殖用抑制棚に関する。
【背景技術】
【０００２】
従来の貝類の養殖用保持部材は、海底に立設した門型支柱群の海面上の梁部材に架設されるロープＲの吊上用の水平なＦＲＰ製保持部材であって、３列の高さ４０ｍｍ板厚５ｍｍ縦部材を８０ｍｍピッチに設けた横部材で連結し、縦部材及び横部材の上面に小突起を設け、これらをＦＲＰで一体成型した（例えば、特許文献１参照）。
【先行技術文献】
【特許文献】
【０００３】
【特許文献１】実用新案登録第３１８０４２６号公報
【考案の概要】
【考案が解決しようとする課題】
【０００４】
しかしながら、従来の貝類の養殖用保持部材は、骨組構造体上に配置されているが、骨組構造体を構成する主柱が細く、隣り合う主柱同士が梁部材のみで連結されているため、作業者が梁部材に乗って作業する場合や強い波により骨組構造体に倒壊の恐れがあるという課題がある。
【０００５】
この考案は、上述のような課題を解決するためになされたもので、波の影響を抑制して倒壊を防止し、ＦＲＰの廃材を有効に活用することができる牡蠣養殖用抑制棚を提供することを目的とする。
【課題を解決するための手段】
【０００６】
この考案に係る牡蠣養殖用抑制棚においては、牡蠣の採苗連を架設する梁部と、前記梁部の長手方向に等間隔で海底に立設されると共に、前記梁部の短手方向に等間隔で海底に立設され、前記梁部に上部を固定して並設される複数の支柱と、隣り合う前記支柱間に架設される連結部と、を備え、前記支柱が、格子状に複数の貫通孔を有するＦＲＰ材である。
【考案の効果】
【０００７】
この考案に係る牡蠣養殖用抑制棚においては、波の影響を抑制して倒壊を防止することができる。
【図面の簡単な説明】
【０００８】
【図１】第１の実施形態に係る牡蠣養殖用抑制棚の概略構成を示す正面図及び背面図である。
【図２】（ａ）は図１に示す牡蠣養殖用抑制棚の平面図であり、（ｂ）は図２（ａ）に示す矢視Ａ−Ａ’線における断面図である。
【図３】図１に示す牡蠣養殖用抑制棚の斜視図である。
【図４】（ａ）は図１に示す縦部材の左端近傍における支柱と縦部材及び上部連結部との固定部分を拡大した部分拡大図であり、（ｂ）は図１に示す縦部材の中間部左側における支柱と縦部材及び上部連結部との固定部分を拡大した部分拡大図である。
【図５】（ａ）は支柱と縦部材との固定部分を拡大した部分拡大断面図であり、（ａ）は図１に示す支柱と中間連結部及び下部連結部との固定部分を拡大した部分拡大図である。
【図６】第２の実施形態に係る牡蠣養殖用抑制棚の概略構成を示す正面図及び背面図である。
【図７】（ａ）は図６に示す補強部の平面図を抜き出した説明図であり、（ｂ）は図７（ａ）に示す矢視Ｂ−Ｂ’線における断面図である。
【考案を実施するための形態】
【０００９】
（本考案の第１の実施形態）
養殖の牡蠣は、採苗、抑制、本垂下、育成の順序を経た後に、収穫される。
本実施形態に係る牡蠣養殖用抑制棚１００は、抑制過程で使用する稚貝吊るし棚である。
【００１０】
なお、採苗とは、卵から孵化して海中を浮遊する牡蠣の幼生を、海中に入れた帆立貝などの貝殻に付着させることをいい、複数の貝殻を針金に連ねたものを採苗連という。
また、抑制とは、牡蠣を大きくせず、環境の変化に強い抵抗力を牡蠣に付けることをいい、牡蠣養殖用抑制棚１００は、干潮時に採苗連の牡蠣を海上に露出させる高さに配置させ、牡蠣が海水に浸かっている時間を短くする。
【００１１】
牡蠣養殖用抑制棚１００は、図１〜図３に示すように、牡蠣の採苗連を架設する梁部１と、梁部１を海底上に支持する支持部２と、を備える。
【００１２】
梁部１は、図２（ａ）に示すように、採苗連を架設する中空角柱の縦部材１１と、縦部材１１の長さより短い中空角柱の横部材１２と、縦部材１１及び横部材１２の中空に嵌合する両端を有し、縦部材１１及び横部材１２を直角に連結するコーナー部材１３と、並設された２本の縦部材１１の中間に跨って配設される中間部材１４と、各部材の連結部分を鋲着する鋲着手段１５と、を備える。
【００１３】
なお、本実施形態に係る縦部材１１は、例えば、ＦＲＰ（fiberglass reinforced plastics：繊維強化プラスチック）材からなり、長さが４１２０ｍｍであり、断面が一辺４８ｍｍの正方形である、中空の正四角柱であるが、作業者が乗っても破損しない強度と耐候性を有するものであれば、この材質、形状及び寸法に限られるものではない。
特に、ＦＲＰ材からなる縦部材１１は、ＦＲＰ材の表面に凹凸が表れることにより、作業者が縦部材１１に乗った場合に、ＦＲＰ材の凹凸が滑り止めとして機能することになる。
【００１４】
また、本実施形態に係る横部材１２は、例えば、ＦＲＰ材からなり、長さが３７９ｍｍであり、断面が一辺４８ｍｍの正方形である、中空の正四角柱であるが、作業者が乗っても破損しない強度と耐候性を有するものであれば、この材質、形状及び寸法に限られるものではない。
【００１５】
また、本実施形態に係る中間部材１４は、例えば、ＦＲＰ材からなり、長さ４７５ｍｍ、幅５０ｍｍ及び厚み５ｍｍの底部１４ａと、長さ３７９ｍｍ、幅５０ｍｍ及び厚み５ｍｍの垂直部１４ｂとからなる、断面Ｌ字状の板状体であるが、並設された２本の縦部材１１間の間隔を維持することができるものであれば、この材質、形状及び寸法に限られるものではない。
また、中間部材１４は、垂直部１４ｂの長さが横部材１２の長さに一致し、垂直部１４ｂの両端から突出した底部１４ａの両端のそれぞれの長さが４８ｍｍであり、縦部材１１の幅に一致する。
【００１６】
なお、本実施形態に係る梁部１は、２本の縦部材１１の両端と２本の横部材１２の両端とをコーナー部１３で連結して長方形の枠体とし、その枠体の中央に１本の中間部材１４を配置したものである。
また、本実施形態に係る鋲着手段１５は、例えば、シャーシとシャーシをワンタッチでかしめるリベット（ナイロンリベット）であり、縦部材１１とコーナー部１３とを各縦部材１１の両端上下２箇所で計８箇所でかしめ、横部材１２とコーナー部１３とを各横部材１２の両端上下２箇所で計８箇所でかしめ、中間部材１４と横部材１２とを中間部材１４の両端下１箇所で計２箇所でかしめる。
【００１７】
支持部２は、図１及び図２（ｂ）に示すように、梁部１の長手方向に等間隔で海底２００に立設されると共に、梁部１の短手方向に等間隔で海底２００に立設され、梁部１に上部を固定して並設される複数の支柱２０と、隣り合う支柱２０間に架設される連結部３０と、を備える。
【００１８】
支柱２０は、図１に示すように、格子状に複数の貫通孔２０ａを有するＦＲＰ材であることにより、支柱２０を海底２００に埋設した場合に、貫通孔２０ａ内に海底２００の土が充填されて錘となり、海底２００からの支柱２０の抜けを防止することができる。
また、海中にある支柱２０は、支柱２０の貫通孔２０ａを通って海水が流れ、海水から受ける力を減少させ、支柱２０の倒壊を防止することができる。
また、支柱２０は、複数の貫通孔２０ａが支柱２０の長手方向に列設されることにより、連結部３０の固定位置（支柱２０の下端２０ｃからの高さ）を、後述する取付部材４０で容易に位置調整を行うことできる。
【００１９】
なお、本実施形態に係る牡蠣養殖用抑制棚１００は、図３に示すように、例えば、８本の支柱２０を備えており、梁部１の長手方向に１３５０ｍｍの等間隔で４本の支柱２０を、梁部１の短手方向に５２０ｍｍの間隔で２列に配設しているが、並設された２本の支柱２０間の間隔を維持することができるものであれば、この本数及び間隔に限られるものではない。
また、本実施形態に係る支柱２０は、例えば、長さ３００７ｍｍ、幅８７ｍｍ及び厚み４０ｍｍの四角柱に対して、厚み方向に貫通する断面略正方形の２列の貫通孔２０ａを設けているが、作業者が縦部材１１に乗っても破損しない強度と耐候性を有するものであれば、この材質、形状及び寸法に限られるものではない。
また、本実施形態に係る支柱２０は、格子状に複数の貫通孔２０ａを有する形状をＦＲＰで新規に成形してもよいが、ＦＰＲ製のグレーチングの廃材を利用することで、製造コストを低減することができる。
また、貫通孔２０ａは、後述する取付部材４０を位置決めするために、内側面が厚み方向に傾斜したテーパー形状である。
【００２０】
連結部３０は、格子状に複数の貫通孔３０ａを有するＦＲＰ材であることにより、海中にある連結部３０は、連結部３０の貫通孔３０ａを通って海水が流れ、海水から受ける力を減少させ、支柱２０の倒壊を防止することができる。
また、本実施形態に係る連結部３０は、例えば、長さ５６７ｍｍ、幅８７ｍｍ及び厚み４０ｍｍの四角柱に対して、厚み方向に貫通する断面略正方形の２列の貫通孔２０ａを設けているが、並設された２本の支柱２０間の間隔を維持することができるものであれば、この材質、形状及び寸法に限られるものではない。
なお、連結部３０は、格子状に複数の貫通孔３０ａを有する形状をＦＲＰで新規に成形してもよいが、ＦＰＲ製のグレーチングの廃材を利用することで、製造コストを低減することができる。
また、貫通孔３０ａは、後述する取付部材４０を位置決めするために、内側面が厚み方向に傾斜したテーパー形状である。
【００２１】
また、本実施形態に係る連結部３０は、図１及び図２（ｂ）に示すように、梁部１の短手方向で隣り合う支柱２０間に架設されているが、梁部１の短手方向での架設に限られるものではなく、梁部１の長手方向で隣り合う支柱２０間に架設されてもよいし、梁部１の短手方向及び長手方向で隣り合う支柱２０間に架設されてもよい。
【００２２】
特に、連結部３０は、梁部１の短手方向で隣り合う支柱２０間に架設されることにより、貫通孔３０ａに嵌合する取付部材４０により梁部１に連結させることができ、支柱２０への連結部３０の取付を容易にすることができる。
この場合に、牡蠣養殖用抑制棚１００は、図１及び図２（ｂ）に示すように、梁部１の短手方向で隣り合う支柱２０の貫通孔２０ａ同士を対向させると共に、支柱２０に連結する連結部３０が支柱２０に当接する面をテーパー状の貫通孔３０ａの面積が小さい側にして配設される。
【００２３】
また、本実施形態に係る連結部３０は、図２（ｂ）に示すように、梁部１（縦部材１１）を下方から支持する上部連結部３０ｂと、支柱２０の下端２０ｃを基点として支柱２０が海底２００に埋設される高さに対応して海底２００に当接する位置に架設される下部連結部３０ｃと、上部連結部３０ｂ及び下部連結部３０ｃ間の略中間にあり、上部連結部３０ｂ及び下部連結部３０ｃによる隣り合う支柱２０間の間隔の維持を補強する中間連結部３０ｄと、を備える。
なお、本実施形態に係る連結部３０は、例えば、上部連結部３０ｂの上面が支柱２０の上端２０ｂから１２０ｍｍの位置にあり、中間連結部３０ｄの上面が支柱２０の上端２０ｂから１０００ｍｍの位置にあり、下部連結部３０ｃの下面が支柱２０の下端２０ｃから１０００ｍｍ（中間連結部３０ｄの上面から１００７ｍｍ）の位置にある。
このため、支柱２０は、下端２０ｃから１０００ｍｍまでの範囲が海底１００に埋設され、上端２０ｂから２００７ｍｍまでの範囲が海底１００上に配設されることになる。
また、本実施形態に係る牡蠣養殖用抑制棚１００は、図３に示すように、梁部１の長手方向に配設される４本の支柱２０に対して梁部１の短手方向に連結部３０を連結するために、４本の上部連結部３０ｂと４本の下部連結部３０ｃと４本の中間連結部３０ｄとにより、１２本の連結部３０を備える。
【００２４】
本実施形態に係る取付部材４０は、図４及び図５に示すように、連結部３０の貫通孔３０ａに嵌合するＦＲＰ製のブロック４１と、ブロック４１の中心を貫通する貫通孔４１ａに軸部４２ａを挿通させるボルト４２と、ボルト４２と対をなすナット４３と、ボルト４２及びナット４３間に介在させるワッシャ４４と、を備える。
ブロック４１は、例えば、縦横３４．７ｍｍ及び厚み１７ｍｍの略直方体に対して、支柱２０の貫通孔２０ａ及び連結部３０の貫通孔３０ａの内側面に沿うように、外側面が厚み方向に傾斜したテーパー形状であり、中心にボルト４２の軸部４２ａを挿通させる貫通孔４１ａと、ボルト４２の頭部４２ｂを内包する溝４１ｂと、を備えている。
ボルト４２は、例えば、長さ５０ｍｍのＭ８の六角ボルトであり、ワッシャ４４は、例えば、スプリングワッシャである。
【００２５】
つぎに、本実施形態に係る牡蠣養殖用抑制棚１００の施行手順について説明する。
なお、梁部１は、図２（ａ）に示すように、２本の縦部材１１と２本の横部材１２と４個のコーナー部材１３と１本の中間部材１４と１８個の鋲着手段１５とを１セットとして、予め組み立てられている。
また、支持部２は、図２（ｂ）に示すように、２本の支柱２０と３本の連結部３０（上部連結部３０ｂ、下部連結部３０ｃ、中間連結部３０ｄ）と１２個の取付部材４０（ブロック４１、ボルト４２、ナット４３、ワッシャ４４）とを１セットとして、予め組み立てられ、４セットが用意される。
この場合に、１セットの支持部２は、連結部３０の最左端の上下２つの貫通孔３０ａと最右端の上下２つの貫通孔３０ａにブロック４１が挿入され、貫通孔２０ａに直交する支柱２０の側面に穿設された貫通孔（不図示）とブロック４１の貫通孔４１ａとに挿通されるボルト４２及びナット４３により締着される。
【００２６】
まず、施工者は、４セットの支柱２０を１３５０ｍｍピッチに並べ、下部連結部３０ｃの位置まで各支柱２０を海底２００に埋め込み、支持部２を立設させる。
そして、施工者は、図４に示すように、支柱２０の上端２０ｂから３番目の貫通孔２０ａに挿入したブロック４１の貫通孔４１ａと、梁部１の縦部材１１の側面に穿設された貫通孔（不図示）と、を一致させて、支柱２０の内側である上部連結部３０ｂ上に梁部１を載置する。
また、施工者は、ブロック４１の貫通孔４１ａから縦部材１１の貫通孔（不図示）にワッシャ４４を介してボルト４２挿入し、枠状の梁部１（縦部材１１）の内側からナット４３で締め付け固定する。
最後に、施工者は、隣り合う上部連結部３０ｂ間における梁部１の各縦部材１１に採苗連を掛けて、作業を終了する。
【００２７】
以上のように、本実施形態に係る牡蠣養殖用抑制棚１００は、牡蠣の採苗連を架設する梁部１と、梁部１の長手方向に等間隔で海底２００に立設されると共に、梁部１の短手方向に等間隔で海底２００に立設され、梁部１に上部を固定して並設される複数の支柱２０と、隣り合う支柱２０間に架設される連結部３０と、を備え、支柱２０が、格子状に複数の貫通孔２０ａを有するＦＲＰ材であることにより、支柱２０を海底２００に埋設した場合に、貫通孔２０ａ内に海底２００の土が充填されて錘となり、海底２００からの支柱２０の抜けを防止することができると共に、海中にある支柱２０の貫通孔２０ａを通って海水が流れ、海水から受ける力を減少させ、支柱２０の倒壊を防止することができるという作用効果を奏する。
【００２８】
なお、本実施形態に縦部材１１は、採苗連が縦部材１１の長手方向に摺動することを抑制するために、縦部材１１の長手方向に等間隔に列設される複数の突起を上面及び／又は側面に配設（例えば、ＦＲＰで一体成形）することが好ましい。
【００２９】
（本発明の第２の実施形態）
図６は第２の実施形態に係る牡蠣養殖用抑制棚の概略構成を示す正面図及び背面図である。図７（ａ）は図６に示す補強部の平面図を抜き出した説明図であり、図７（ｂ）は図７（ａ）に示す矢視Ｂ−Ｂ’線における断面図である。図６及び図７において、図１乃至図５と同じ符号は、同一又は相当部分を示し、その説明を省略する。
【００３０】
本実施形態に係る牡蠣養殖用抑制棚１００は、図６及び図７に示すように、下部連結部３０ｃの上面に当接する位置に、梁部１と同一の構造の補強部３を備える。
【００３１】
なお、本実施形態に係る牡蠣養殖用抑制棚１００は、補強部３をさらに備えるところのみが第１の実施形態と異なるところであり、補強部３による作用効果以外は、第１の実施形態と同様の作用効果を奏する。
【００３２】
補強部３は、梁部１の長手方向で隣り合う支柱２０間を、梁部１により支柱２０の上端２０ｂ側で固定するだけなく、支柱２０の下端２０ｃ側でも固定し、梁部１の長手方向で隣り合う支柱２０間の間隔を上下で維持することができ、牡蠣養殖用抑制棚１００の倒壊を防止することができる。
また、補強部３は、下部連結部３０ｃに比べて広い面積を有するために、牡蠣養殖用抑制棚１００から海底２００にかかる圧力を分散し、支柱２０が下端２０ｃから下部連結部３０ｃの位置を越えて海底２００に沈むことを防止できる。
【符号の説明】
【００３３】
１      梁部
２      支持部
３      補強部
１１    縦部材
１２    横部材
１３    コーナー部材
１４    中間部材
１４ａ  底部
１４ｂ  垂直部
１５    鋲着手段
２０    支柱
２０ａ  貫通孔
２０ｂ  上端
２０ｃ  下端
３０    連結部
３０ａ  貫通孔
３０ｂ  上部連結部
３０ｃ  下部連結部
３０ｄ  中間連結部
４０    取付部材
４１    ブロック
４１ａ  貫通孔
４１ｂ  溝
４２    ボルト
４２ａ  軸部
４２ｂ  頭部
４３    ナット
４４    ワッシャ
１００  牡蠣養殖用抑制棚
２００  海底
【図１】
0003202602.tif 000003
【図２】
0003202602.tif 000004
【図３】
0003202602.tif 000005
【図４】
0003202602.tif 000006
【図５】
0003202602.tif 000007
【図６】
0003202602.tif 000008
【図７】
0003202602.tif 000009